(57)【要約】      （修正有）【課題】積み重ねられた古新聞等を、緩まないよう紐できつく縛ることを容易にする紐ストッパおよび紐セッティングラックを提供する。【解決手段】貫通孔１２が、板状の本体１１を厚さ方向に貫通している。各凹部１３ａ，１３ｂが、本体の縁部１１ａ，１１ｂの、貫通孔を挟んで互いに対向する位置にそれぞれ設けられている。２対の各引掛用切込１４ａ，１４ｂ，１５ａ，１５ｂが、本体の縁部の、各凹部を挟む位置にそれぞれ設けられている。各引掛用切込は、他の引掛用切込の先端とずれた方向に伸びている。ラックの底面が、幅方向および長さ方向にそれぞれ平行に設けられた１対の紐用溝と、その両端に設けられた２対の底部切込とを有している。ラックの側方支持部が、上縁の各底部切込に対応する位置に２対の上部切込を有している。【選択図】図１
0003113079.tif 000002
【実用新案登録請求の範囲】
【請求項１】
板状の本体を有し、前記本体に貫通孔と１対の凹部と複数の引掛用切込とを有し、
前記貫通孔は前記本体を厚さ方向に貫通しており、
各凹部は前記本体の縁部の、前記貫通孔を挟んで互いに対向する位置にそれぞれ設けられ、
各引掛用切込は前記本体の縁部に設けられていることを、
特徴とする紐ストッパ。
【請求項２】
前記引掛用切込は２対から成り、その各対は前記本体の縁部の、各凹部を挟む位置にそれぞれ設けられ、各引掛用切込は他の引掛用切込の先端とずれた方向に伸びていることを、特徴とする請求項１記載の紐ストッパ。
【請求項３】
ラックと２つの請求項１または２記載の紐ストッパとを有し、
前記ラックは底面と側方支持部とを有し、
前記底面は四つ折りの新聞紙大の矩形状で、幅方向および長さ方向にそれぞれ平行に設けられて中央で互いに交差した１対の紐用溝と、各紐用溝の両端に設けられて紐を挟み込み可能な２対の底部切込とを有し、
前記側方支持部は前記底面の周囲から上方に伸びて設けられ、上縁の各底部切込に対応する位置に紐を挟み込み可能な２対の上部切込を有することを、
特徴とする紐セッティングラック。
【考案の詳細な説明】
【技術分野】
【０００１】
本考案は、紐ストッパおよび紐セッティングラックに関する。
【背景技術】
【０００２】
一般の家庭では、古新聞がたまると、古新聞を四つ折りにして積み重ね、紐で十字に縛り、リサイクルのために資源回収に出している。最近では、古新聞の整理を容易にするために、古新聞を積み重ねて収納できる収納ラックが使用されている（例えば、特許文献１参照）。
【０００３】
【特許文献１】実開平６−１３５８１号公報
【考案の開示】
【考案が解決しようとする課題】
【０００４】
しかしながら、従来、積み重ねられた古新聞を紐で縛るとき、きつく縛るにはコツが必要で、縛り方が緩いと、古新聞が崩れてしまい、結び直しが必要になるという課題があった。
【０００５】
本考案は、このような従来の課題に着目してなされたもので、積み重ねられた古新聞等を、緩まないよう紐できつく縛ることを容易にする紐ストッパおよび紐セッティングラックを提供することを目的とする。
【課題を解決するための手段】
【０００６】
上記目的を達成するために、本考案に係る紐ストッパは、板状の本体を有し、前記本体に貫通孔と１対の凹部と複数の引掛用切込とを有し、前記貫通孔は前記本体を厚さ方向に貫通しており、各凹部は前記本体の縁部の、前記貫通孔を挟んで互いに対向する位置にそれぞれ設けられ、各引掛用切込は前記本体の縁部に設けられていることを、特徴とする。
【０００７】
本考案に係る紐ストッパでは、古新聞等を紐で縛るとき、まず、古新聞等を積み重ね、その底部中央を通して周囲に紐を回す。その紐の両端を貫通孔に通す。一方の紐の端を本体に各凹部の位置で２回巻き付け、いずれかひとつの引掛用切込に引っ掛ける。次に、他方の紐の端を引っ張り、貫通孔を利用して紐ストッパを他方の紐側に押さえ込み、できるだけ他方の紐の端を引っ張り込んで古新聞等を締め付けて、一方の凹部から本体の裏面にまわり、貫通孔に通された両方の紐を絞り込むように２回巻き付け、いずれかひとつの引掛用切込に引っ掛ける。これにより、積み重ねた古新聞等を、緩まないよう容易にきつく縛ることができる。別の紐を交差させる場合には、同様の手順で別の紐ストッパを使用して縛るとよい。なお、本考案に係る紐ストッパは、古新聞のほか、古雑誌、広告紙、ダンボール、ダンボール箱、小型荷物などを縛るのに用いることができる。また、２本の紐で平行に縛ることにより、３０ｋｇ位までの古新聞等を、両手で容易に持ち運ぶことができる。
【０００８】
さらに、本考案に係る紐ストッパは、ゴミ袋やプラスチック袋用の口締めとして使用することもできる。この場合、古新聞等を縛る通常の方法で口締めを行うか、または、本体の貫通孔に紐を折り曲げて通し、寄せ集めた袋の口にその紐を回し、貫通孔を使用して紐を引込み、一方の凹部から本体の裏面に回し、貫通孔の紐２本を２回巻きにして、いずれかひとつの引掛用切込に引っ掛けることにより、口締めを行うことができる。
なお、本考案に係る紐ストッパは、本体を厚く大きめに形成し、引掛用切込をギザギザの鋸歯状に形成することにより、太めの紐にも対応することができる。
【０００９】
本考案に係る紐ストッパで、前記引掛用切込は２対から成り、その各対は前記本体の縁部の、各凹部を挟む位置にそれぞれ設けられ、各引掛用切込は他の引掛用切込の先端とずれた方向に伸びていることが好ましい。この場合、各引掛用切込が他の引掛用切込の先端の方向に伸びている場合に比べて、折れたり割れたりしにくい。
【００１０】
本考案に係る紐セッティングラックは、ラックと２つの本考案に係る紐ストッパとを有し、前記ラックは底面と側方支持部とを有し、前記底面は四つ折りの新聞紙大の矩形状で、幅方向および長さ方向にそれぞれ平行に設けられて中央で互いに交差した１対の紐用溝と、各紐用溝の両端に設けられて紐を挟み込み可能な２対の底部切込とを有し、前記側方支持部は前記底面の周囲から上方に伸びて設けられ、上縁の各底部切込に対応する位置に紐を挟み込み可能な２対の上部切込を有することを、特徴とする。
【００１１】
本考案に係る紐セッティングラックで、ラックは、底面が四つ折りの新聞紙大の矩形状で、側方支持部が底面の周囲から上方に伸びて設けられているため、四つ折りにした古新聞を崩れないように底面の上に積み重ねて収納することができる。本考案に係る紐セッティングラックは、以下のようにして使用される。まず、ラックに古新聞を収納する前に、各紐用溝にそれぞれ１本ずつ互いに交差させて紐を通す。底面の幅方向に平行な紐用溝に通した紐を、その紐用溝の両端に設けられた１対の底部切込と、その各底部切込に対応する位置に設けられた１対の上部切込とに挟み込む。同様に、底面の長さ方向に平行な紐用溝に通した紐を、その紐用溝の両端に設けられた１対の底部切込と、その各底部切込に対応する位置に設けられた１対の上部切込とに挟み込む。これにより、ラックに古新聞を収納したままで紐を周囲に掛けることができ、底部切込および上部切込により、紐が紐用溝からずれるのを防ぐことができる。
【００１２】
ラックに古新聞を収納後、各紐の両端を引っ張って各底部切込および各上部切込からはずし、それぞれ別の紐ストッパを用いて、前述の方法により、積み重ねられた古新聞をきつく縛る。これにより、積み重ねられた古新聞を、崩れないよう紐で十字に縛ることができる。こうして、積み重ねられた古新聞を、緩まないよう紐で容易にきつく縛ることができる。
【考案の効果】
【００１３】
本考案によれば、積み重ねられた古新聞等を、緩まないよう紐できつく縛ることを容易にする紐ストッパおよび紐セッティングラックを提供することができる。
【考案を実施するための最良の形態】
【００１４】
以下、図面に基づき本考案の実施の形態について説明する。
図１乃至図４は、本考案の実施の形態の紐ストッパおよび紐セッティングラックを示している。
図１および図２に示すように、紐セッティングラックは、紐ストッパ１０とラック２０とを有している。
【００１５】
図１（ａ）に示すように、紐ストッパ１０は、プラスチック製で、板状の本体１１を有している。紐ストッパ１０は、本体１１に貫通孔１２と１対の凹部１３ａ，１３ｂと２対の引掛用切込１４ａ，１４ｂ，１５ａ，１５ｂとを有している。
本体１１は、やや細長く、その外形の角部が丸みを有している。
貫通孔１２は、円形で、本体１１の中央に、本体１１を厚さ方向に貫通している。
各凹部１３ａ，１３ｂは、円弧状で、本体１１の縁部１１ａ，１１ｂの中央に設けられている。各凹部１３ａ，１３ｂは、貫通孔１２を挟んで互いに対向する位置にそれぞれ設けられている。
【００１６】
各引掛用切込１４ａ，１４ｂ，１５ａ，１５ｂは、直線状の切込から成り、各対の引掛用切込１４ａ，１４ｂおよび引掛用切込１５ａ，１５ｂが本体１１の縁部１１ａ，１１ｂの、各凹部１３ａ，１３ｂを挟む位置にそれぞれ設けられている。各引掛用切込１４ａ，１４ｂ，１５ａ，１５ｂは、紐を容易に引っ掛けることができるよう、本体１１の縁部１１ａ，１１ｂでＶ字型の開口１６を有している。各開口１６は、角部が丸みを有している。各引掛用切込１４ａ，１４ｂ，１５ａ，１５ｂは、本体１１の厚さ方向に沿った中心軸に対して回転対称となるよう、他の引掛用切込の先端とずれた方向に伸びて設けられている。各対の引掛用切込１４ａ，１４ｂおよび引掛用切込１５ａ，１５ｂは、それぞれ互いに本体１１の外側に向かって、本体１１の長さ方向に沿った中心線付近まで伸びて設けられている。
図１（ｂ）に示すように、本体１１は、その両面１１ｃ，１１ｄで各引掛用切込１４ａ，１４ｂ，１５ａ，１５ｂに向かって厚さが薄くなっている。
【００１７】
なお、具体的な一例では、紐ストッパ１０の本体１１は、長さが４６ｍｍ、幅が３１ｍｍ、厚さが２．５ｍｍである。貫通孔１２は、直径が１５ｍｍである。各引掛用切込１４ａ，１４ｂ，１５ａ，１５ｂは、長さが１４ｍｍである。本体１１の一端１１ｅ側に向かって伸びる引掛用切込１４ａの縁部１１ａに対する角度は、約８０度である。本体１１の他端１１ｆ側に向かって伸びる引掛用切込１４ｂの縁部１１ａに対する角度は、約７０度である。本体１１の他端１１ｆ側に向かって伸びる引掛用切込１５ａの縁部１１ｂに対する角度は、約８０度である。本体１１の一端１１ｅ側に向かって伸びる引掛用切込１５ｂの縁部１１ｂに対する角度は、約７０度である。この小型の紐ストッパ１０は、細い紐用で、１５ｋｇまでの新聞紙等を縛るのに適している。
【００１８】
図２に示すように、ラック２０は、プラスチック製で、底面２１と側方支持部２２とを有している。底面２１は、四つ折りの新聞紙大の矩形状で、１対の紐用溝２３ａ，２３ｂと２対の底部切込２４ａ，２４ｂ，２５ａ，２５ｂとを有している。各紐用溝２３ａ，２３ｂは、断面がＵ字型で、底面２１の中央で互いに交差するよう、底面２１の幅方向および長さ方向にそれぞれ平行に設けられている。各底部切込２４ａ，２４ｂ，２５ａ，２５ｂは、各紐用溝２３ａ，２３ｂの両端に設けられている。各底部切込２４ａ，２４ｂ，２５ａ，２５ｂは、Ｖ字型の切込部と、その切込部の先端に切込部に接続するよう、底面２１を厚さ方向に貫通して設けられた円形孔部とから成っている。各底部切込２４ａ，２４ｂ，２５ａ，２５ｂは、円形孔部に紐を挟み込み可能になっており、紐を容易に引くことができるようになっている。
【００１９】
側方支持部２２は、４つの柱部２６と４つの梁部２７とを有している。各柱部２６は、底面２１の周囲の４つの角部から、それぞれ各角部の形に沿って底面２１に対してほぼ垂直に上方に伸びて設けられている。各梁部２７は、各柱部２６の中央部で、隣り合った柱部２６同士を連結するよう設けられている。各梁部２７のうち、底面２１の幅方向に沿った１対の梁部２７は、中央に持ち運び用の取手穴２８を有している。
【００２０】
各梁部２７のうち、底面２１の長さ方向に沿った１対の梁部２７は、上縁の中央に、底部切込２４ａ，２４ｂに対応した１対の上部切込２９ａ，２９ｂを有している。また、各梁部２７のうち、底面２１の幅方向に沿った１対の梁部２７は、上縁の中央に、底部切込２５ａ，２５ｂに対応した１対の上部切込３０ａ，３０ｂを有している。２対の各上部切込２９ａ，２９ｂ，３０ａ，３０ｂは、Ｖ字型の切込から成り、紐を挟み込み可能になっている。
【００２１】
次に、作用について説明する。
紐セッティングラックで、ラック２０は、底面２１が四つ折りの新聞紙大の矩形状で、側方支持部２２が底面２１の周囲から上方に伸びて設けられているため、四つ折りにした古新聞を崩れないように底面２１の上に積み重ねて収納することができる。
【００２２】
紐セッティングラックは、以下のようにして使用される。まず、ラック２０に古新聞を収納する前に、各紐用溝２３ａ，２３ｂにそれぞれ１本ずつ互いに交差させて紐を通す。底面２１の幅方向に平行な紐用溝２３ａに通した紐を、その紐用溝２３ａの両端に設けられた１対の底部切込２４ａ，２４ｂと、その各底部切込２４ａ，２４ｂに対応する位置に設けられた１対の上部切込２９ａ，２９ｂとに挟み込む。同様に、底面２１の長さ方向に平行な紐用溝２３ｂに通した紐を、その紐用溝２３ｂの両端に設けられた１対の底部切込２５ａ，２５ｂと、その各底部切込２５ａ，２５ｂに対応する位置に設けられた１対の上部切込３０ａ，３０ｂとに挟み込む。これにより、ラック２０に古新聞を収納したままで紐を周囲に掛けることができ、底部切込２４ａ，２４ｂ，２５ａ，２５ｂおよび上部切込２９ａ，２９ｂ，３０ａ，３０ｂにより、紐が紐用溝２３ａ，２３ｂからずれるのを防ぐことができる。なお、古新聞を最も多く収納したとき、底面２１の長さ方向に平行な紐の長さは約１．５ｍ、底面２１の幅方向に平行な紐の長さは１．３ｍである。
【００２３】
ラック２０に古新聞を収納後、各紐の両端を引っ張って各底部切込２４ａ，２４ｂ，２５ａ，２５ｂおよび各上部切込２９ａ，２９ｂ，３０ａ，３０ｂからはずし、それぞれ別の紐ストッパ１０を用いて、積み重ねられた古新聞をきつく縛る。まず、紐の両端を紐ストッパ１０の貫通孔１２に通す。一方の紐の端を本体１１に各凹部１３ａ，１３ｂの位置で２回巻き付け、いずれかひとつの引掛用切込１４ａ，１４ｂ，１５ａまたは１５ｂに引っ掛ける。次に、他方の紐の端を引っ張り、貫通孔１２を利用して紐ストッパ１０を他方の紐側に押さえ込み、できるだけ他方の紐の端を引っ張り込んで古新聞を締め付け、一方の凹部１３ａまたは１３ｂから本体１１の裏面にまわし、貫通孔１２に通された両方の紐を絞り込むように２回巻き付け、いずれかひとつの引掛用切込１４ａ，１４ｂ，１５ａまたは１５ｂに引っ掛ける。これにより、積み重ねられた古新聞を、崩れないよう紐で十字に縛ることができる。こうして、積み重ねられた古新聞を、緩まないよう紐で容易にきつく縛ることができる。
【００２４】
紐ストッパ１０は、各引掛用切込１４ａ，１４ｂ，１５ａ，１５ｂが他の引掛用切込の先端とずれた方向に伸びているため、各引掛用切込１４ａ，１４ｂ，１５ａ，１５ｂが他の引掛用切込の先端の方向に伸びている場合に比べて、折れたり割れたりしにくい。
【００２５】
なお、図３（ａ）に示すように、紐ストッパ１０は、紐の太さや用途などに応じて、異なる大きさに形成されてもよい。図３（ａ）に示す具体的な一例では、紐ストッパ１０の本体１１は、長さが５４ｍｍ、幅が３３ｍｍ、厚さが３ｍｍである。貫通孔１２は、直径が１５ｍｍである。各引掛用切込１４ａ，１４ｂ，１５ａ，１５ｂは、長さが１６ｍｍである。この大型の紐ストッパ１０は、１５ｋｇ以上３０ｋｇ位までの新聞紙等を縛るのに適している。
【００２６】
また、図３（ｂ）に示すように、紐ストッパ１０は、各引掛用切込１４ａ，１４ｂ，１５ａ，１５ｂが本体１１の縁部１１ａ，１１ｂから先端に向かって幅が狭くなるよう形成されていてもよい。この場合、紐を各引掛用切込１４ａ，１４ｂ，１５ａ，１５ｂに挟み込みやすい。
さらに、図３（ｃ）に示すように、紐ストッパ１０は、各引掛用切込１４ａ，１４ｂ，１５ａ，１５ｂがギザギザの鋸歯状に形成されていてもよい。この場合、各引掛用切込１４ａ，１４ｂ，１５ａ，１５ｂに挟み込まれた紐が鋸歯でしっかりと保持され、緩みにくい。
【００２７】
図４に示すように、紐ストッパ１０は、本体１１が菱形状で、４つの角が丸く面取りされていてもよい。紐ストッパ１０は、本体１１に貫通孔１２と１対の凹部１３ａ，１３ｂと１対の引掛用切込１４ａ，１４ｂを有している。各引掛用切込１４ａ，１４ｂは、紐を入りやすくするため、Ｖ字型の開口を有し、その角部が丸みを帯びている。
【図面の簡単な説明】
【００２８】
【図１】本考案の実施の形態の紐ストッパを示す（ａ）平面図、（ｂ）Ａ−Ａ線端面図である。
【図２】本考案の実施の形態の紐セッティングラックのラックを示す斜視図である。
【図３】本考案の実施の形態の紐ストッパの（ａ）大きさが異なる変形例を示す平面図、（ｂ）各引掛用切込の形状の変形例を示す平面図、（ｃ）各引掛用切込の形状の他の変形例を示す平面図である。
【図４】本考案の実施の形態の紐ストッパの変形例を示す平面図である。
【符号の説明】
【００２９】
１０  紐ストッパ
１１  本体
１２  貫通孔
１３ａ，１３ｂ  凹部
１４ａ，１４ｂ，１５ａ，１５ｂ  引掛用切込
２０  ラック
２１  底面
２２  側方支持部
２３ａ，２３ｂ  紐用溝
２４ａ，２４ｂ，２５ａ，２５ｂ  底部切込
２６  柱部
２７  梁部
２８  取手穴
２９ａ，２９ｂ，３０ａ，３０ｂ  上部切込
【図１】
0003113079.tif 000003
【図２】
0003113079.tif 000004
【図３】
0003113079.tif 000005
【図４】
0003113079.tif 000006